(57)【要約】【課題】装飾品を装飾物で装飾する際に、窪み加工や接着材を必要とせず、優れた装飾効果を発揮し得るようにすること。【解決手段】ベース１の側壁２を、内壁２ａ及び外壁２ｂの２枚のガラスで構成し、内外壁２ａ、２ｂの間に所定の幅の空洞部３を形成する。この空洞部３に、多数のイミテーションの宝石６を、ランダムな方向をもって密に設ける。このように宝石６を設けることにより、宝石６にがたつきが生じにくく、その向きをランダムな方向に維持するために窪みを形成したり、接着剤を用いて固定したりする必要がない。このため、宝石６を設ける作業工程を簡便なものとし得るとともに、この接着剤を用いたことに起因して宝石６による装飾性を損なう恐れもない。【選択図】図１
2013031526.tif 000002
【特許請求の範囲】
【請求項１】
透明部材によって空洞部（３）を構成し、この空洞部（３）に所定の形状に加工した複数の装飾物（６）を収納した装飾品。
【請求項２】
２つの前記透明部材が対向して設けられ、その間に前記空洞部（３）が構成されている請求項１に記載の装飾品。
【請求項３】
前記空洞部（３）の隙間の大きさを、その空洞部（３）に収納する装飾物（６）の大きさの１〜２倍の範囲内とした請求項１又は２に記載の装飾品。
【請求項４】
花等を生けるベース、グラス等を載置するコースター、箸、掛け時計の文字盤、調味料入れ、キャンドルスタンド、飲料水等のピッチャー、食材盛り付け用のボール、プレースマット、ナプキンホルダー、フォーク、ナイフ、スプーン等の柄、ボトルクーラー、マドラー、氷を収納するアイスペール、箸置き、ナイフ等を置くシルバー置き、ティッシュリング、ティッシュボックスのいずれかである請求項１〜３のいずれか一つに記載の装飾品。
【発明の詳細な説明】
【技術分野】
【０００１】
この発明は、天然あるいはイミテーションの宝石等の装飾物を用いて装飾したベース、コースター等の装飾品に関する。
【背景技術】
【０００２】
天然あるいはイミテーションの宝石等の装飾物を用いて、花を生けるベース、グラスを載置するコースター等の日用雑貨を装飾して、その見栄えを向上し、高い付加価値を与えた装飾品が数多く販売されている。この装飾品への装飾物の取り付け方法として、特許文献１に示すように、ワインボトル等の容器の外面に窪みを形成し、この窪みに前記装飾物を接着剤を用いて固定するようにした構成がある。
【０００３】
また、特許文献２に示すように、前記装飾物を固定するための窪みを形成するとともに、この窪み内に貫通孔を形成し、この貫通孔に光源からの光を導いて前記装飾物を底面側から照明して、その装飾効果を高めたものがある。さらに、前記装飾物の底面側に反射膜を形成して、この装飾物の表面側から入射した光の反射を高め、その装飾効果を一層向上させたものもある。
【先行技術文献】
【特許文献】
【０００４】
【特許文献１】実用新案登録第３１２６８５８号公報
【特許文献２】特開２００６−６６９６３号公報
【発明の概要】
【発明が解決しようとする課題】
【０００５】
装飾物を装飾品表面に形成した窪みに接着剤を用いて固定する場合、この接着剤によって光の屈折、反射、透過や反射光の色合いに悪影響が及ぶことがあり、装飾物が本来有する装飾効果が損なわれることが生じ得る。また、窪み内に貫通孔を形成して装飾物の底面から照明したり、この装飾物の底面に反射膜を形成したりする方法は、窪みや貫通孔の形成に加工コストを要し、装飾物が本来有する自然な輝きを損なう恐れがある。
【０００６】
この装飾物には、輝きを最大限に発揮するために特定のカット（例えば、ダイヤモンドにおけるブリリアントカット）が施されるのが一般的である。この特定のカットを施した装飾物を同一形状の窪みに同じ向き設けた場合、特定角度からの光を受けて全ての装飾物が同じように輝くため、その輝きが変化に乏しく面白みが少ない。そこで、この装飾物を意図的に傾斜させて装飾品に設けると、この装飾品を見る角度が変化した際に、その輝きが前記傾斜の角度に対応してランダムに変化して、装飾性が一段と向上する。
【０００７】
しかしながら、個々の装飾物をそれぞれ異なった傾斜角度で装飾品に固定するには、この装飾品に前記傾斜の角度に対応した異なる形状の窪みを形成し、この窪みに一つ一つ装飾物を嵌め込んで接着剤で固定する必要があり、手間とコストがかかるとともに、上記の説明のように、接着剤の使用に伴って光の屈折等に悪影響が及ぶという問題がある。
【０００８】
そこで、本願発明は、装飾品を装飾物で装飾する際に、窪み加工や接着剤を必要とせず、優れた装飾効果を発揮し得るようにすることを課題とする。
【課題を解決するための手段】
【０００９】
上記の課題を解決するため、この発明は、透明部材によって空洞部を構成し、この空洞部に所定の形状に加工した複数の装飾物を収納して装飾品を構成した。
【００１０】
このように空洞部に装飾物を収納することにより、一つ一つの装飾物を嵌め込むための窪みを形成することなく、各装飾物をランダムな向きに保持することができる。しかも、この空洞部にこの装飾物を詰め込んだ状態とすることによって、互いに動きが制限されて、前記ランダムな向きが装飾品の使用中も維持される。このため、この装飾品を見る方向が変化した際にランダムな輝きが発揮される。しかも、このように装飾物を詰め込むことによって、装飾物の一つ一つを接着剤で固定する必要がないので、この装飾物が本来有する自然な輝きが発揮される。
【００１１】
前記構成においては、２つの前記透明部材を対向して設け、その間に前記空洞部を形成した構成とすることができる。
【００１２】
このように透明部材を配置すると、対向する一方の透明部材側から装飾物を見る際に、他方の透明部材側から入射した光（外光）によって、この装飾物が背面側から照明される。このため、照明効果を高めるためにこの装飾物の底面に反射膜を形成する必要がなく、この装飾物の有する自然な輝きを発揮し得る。
【００１３】
前記各構成においては、前記空洞部の隙間の大きさを、その空洞部に収納した装飾物の大きさの１〜２倍の範囲内とするのが好ましい。
【００１４】
前記隙間の大きさを１倍よりも小さくすると、この空洞部に装飾物を収納することができないためであり、２倍よりも大きくすると、２以上の装飾物同士が重なり合って装飾物一つ一つへの外光による照明が不十分となり、装飾物の有する本来の輝きが発揮されない恐れがあるためである。
【００１５】
前記各構成は、花等を生けるベース、グラス等を載置するコースター、箸、掛け時計の文字盤、調味料入れ、キャンドルスタンド、飲料水等のピッチャー、食材盛り付け用のボール、プレースマット、ナプキンホルダー、フォーク、ナイフ、スプーン等の柄、ボトルクーラー、マドラー、氷を収納するアイスペール、箸置き、ナイフ等を置くシルバー置き、ティッシュリング、ティッシュボックスをはじめとするテーブルウェアのみならず、洗面用品、バス用品、アロマ用器具、化粧用具、化粧品用容器、照明器具等の家電製品、ドレッサーやチェスト等の家具等、日用雑貨に幅広く採用することができる。
【００１６】
これらの側面や底面等、所望の位置に装飾物を施すことによって美観が向上し、商品価値を大幅に向上することが期待できるためである。
【発明の効果】
【００１７】
この発明は、透明部材によって構成された空洞部に所定形状に加工された装飾物を設け、この装飾物を固定する窪みの形成や、接着剤の使用を要することなく、この装飾物を安定的にこの空洞部に保持することができる。このように保持した装飾物は、接着剤によって美観が損なわれることなく、ランダムに配向することができるため、光によって照明された際の高い装飾性を得ることができる。
【図面の簡単な説明】
【００１８】
【図１】この発明に係る装飾品の第一実施形態（ベース）を示す斜視図
【図２】第一実施形態の縦断面図
【図３】この発明に係る装飾品の第二実施形態（コースター）を示し、（ａ）は斜視図、（ｂ）は平面図、（ｃ）は縦断面図、（ｄ）は変形例の縦断面図
【図４】この発明に係る装飾品の第三実施形態（コースター）を示す斜視図
【図５】この発明に係る装飾品の第四実施形態（箸）を示し、（ａ）は斜視図、（ｂ）は要部断面図
【発明を実施するための形態】
【００１９】
この発明に係る装飾品の第一実施形態を図１及び２に示す。これは、花を生けるための角柱状のベース１（花瓶）である。このベース１の側壁２は内壁２ａ及び外壁２ｂの２枚のガラスから構成され、内外壁２ａ、２ｂの間に、隙間の大きさが約５ｍｍの空洞部３が形成されている（図２を参照）。この側壁２の下側にはステンレス製の底板４が設けられるとともに、この側壁２の上側にはステンレス製の外形ロの字形のキャップ部材５が設けられている。この底板４及びキャップ部材５により、空洞部３は閉塞された状態となっている。内外壁２ａ、２ｂと底板４の間には防水シート（図示せず）が設けられており、ベース１に注入した水がベース１の外側あるいは空洞部３内に漏れ出さないようにしている。
【００２０】
この空洞部３には、大きさが約３〜４ｍｍの多数のイミテーションの宝石６が、ランダムな方向をもって設けられている。各宝石６には特定のカットが施されている。各宝石６はランダムに配向されていて、このベース１を見る向きが変化すると、その変化に伴って各宝石６からの反射光がランダムに輝きながら変化する。このように輝きにランダム性が生じることによって、各宝石６の所定のカット面が、全て同じ方向に向くように構成した場合と比較して、その装飾性を大幅に向上することができる。
【００２１】
各宝石６は、空洞部３の隙間（約５ｍｍ）との関係において、その隙間方向に２つ以上が並列できない大きさ（約３〜４ｍｍ）なので、各宝石６が空洞部３の隙間方向に重なり合いにくく、内壁２ａ側から空洞部３内に入る外光によって、各宝石６が満遍なく照明される。このため、全ての宝石６がこの外光を受けて輝き、高い装飾性が発揮される。
【００２２】
この第一実施形態においては、各宝石６が空洞部３内に密に詰まっており、各宝石６ががたつかないようになっているが、この宝石６の詰め込み度合いを下げて、各宝石６がある程度自在に動き得るようにしてもよい。さらに、その状態で空洞部３内に宝石６の比重に近い比重の透明液体（オイル等）を入れておけば、ベース１を傾けた際に、この液体中を宝石６が浮遊するようにすることができ、その装飾性を一層向上することができる。
【００２３】
この第一実施形態においては、側壁２を構成する透明部材としてガラスを用いたが、アクリル板等の樹脂材も採用し得る。また、底板４及びキャップ部材５の材質として、ステンレスの代わりに、木材あるいは基体を皮革で被覆した素材等も適宜採用し得る。さらに、ベース１の外形を角柱状とする代わりに円柱状とする等、適宜他形状とすることも勿論可能である。
【００２４】
この発明に係る装飾品の第二実施形態を図３に示す。これは、グラス等を載置するコースター７である。同図（ａ）〜（ｃ）に示すように、載置部８は２枚の角形ガラス８ａ、８ｂから構成され、両角形ガラス８ａ、８ｂの間に空洞部３が形成されている。この載置部８の外縁に、複数の分割部材から構成されるステンレス製の枠体９が嵌め込まれる。角形ガラス８ａ、８ｂの端部上下にはパッキン（図示せず）が設けられ、この角形ガラス８ａ、８ｂのがたつきを防止している。枠体９の各パーツは、ビス１０によって一体化されている。空洞部３は、角形ガラス８ａ、８ｂと枠体９によって閉塞された状態となっていて、この空洞部３内には、第一実施形態と同様に、特定のカットが施された多数のイミテーションの宝石６が、ランダムな方向をもって設けられている。
【００２５】
この第二実施形態においては、同図（ｄ）に示すように、２枚の角形ガラス８ａ、８ｂのうち下側の１枚を鏡面加工したステンレス板８ｃに置き換えてもよい。このようにステンレス板８ｃを用いることにより、載置部８の機械的強度が向上してこの載置部８の薄型化を図ることができるとともに、前記鏡面からの反射光により装飾物６が照明されて、その装飾性を一層向上することができる。
【００２６】
この発明に係る装飾品の第三実施形態を図４に示す。この装飾品は図３と同じくコースター７であって、載置部８を円形ガラスで構成したものである。
【００２７】
この発明に係る装飾品の第四実施形態を図５に示す。これは箸１１であって、箸本体１２の頭部に装飾部材１３のねじ部１４をねじ込んでいる。この装飾部材１３は円筒形の透明部材であって、その内部に空洞部３が構成される。この装飾部材１３の頭部には蓋部１５が設けられ、空洞部３には上記各実施形態と同様に多数のイミテーションの宝石６が、ランダムな方向をもって設けられている。
【００２８】
空洞部３に詰め込んだ装飾物６は、周囲の装飾物６に拘束されて動くことはほとんどないが、この装飾物６の安定性を増すため、美観に影響を与えないように留意しつつ、両面テープ等を用いて装飾物６を空洞部３の所定位置（内壁等）に固定してもよい。
【００２９】
上記の各実施形態以外にも、例えば、掛け時計の文字盤、調味料入れ、キャンドルスタンド、飲料水等のピッチャー、食材盛り付け用のボール、プレースマット（小型テーブル敷き）、ナプキンホルダー、フォーク、ナイフ、スプーン等の柄、ボトルクーラー、マドラー、氷を収納するアイスペール、箸置き、ナイフ等を置くシルバー置き、ティッシュリング、ティッシュボックス等様々なものに適用することができる。
【００３０】
また、上記の各実施形態においては、透明部材としてガラスを用いた場合について説明したが、ガラス以外に、アクリル板等も勿論使用できる。また、底板、キャップ部材、枠体等の素材として、ステンレスの代わりに、木材、基体を皮革で被覆した素材等を適宜採用することができる。
【符号の説明】
【００３１】
１  ベース
２  側壁
２ａ  内壁
２ｂ  外壁
３  空洞部
４  底板
５  キャップ部材
６  装飾物（宝石）
７  コースター
８  載置部
８ａ、８ｂ  角形ガラス
９  枠体
１０  ビス
１１  箸
１２  箸本体
１３  装飾部材
１４  ねじ部
１５  蓋部
【図１】
2013031526.tif 000003
【図２】
2013031526.tif 000004
【図３】
2013031526.tif 000005
【図４】
2013031526.tif 000006
【図５】
2013031526.tif 000007